(57)【要約】【課題】ネットワークにおけるIMSの可用性を考慮して安定的な音声サービスを提供するための技術を提供することである。【解決手段】本発明の１つの態様は、IMS機能をサポートするユーザ装置であって、ユーザが前記IMS機能をオン又はオフに設定するためのユーザインタフェース、及び在圏網によって前記IMS機能のオン又はオフを切り替える機能を提供するアプリケーションレイヤと、前記ユーザインタフェースに対する前記ユーザ、または在圏網によるIMS機能のオン又はオフ設定に対応して、在圏ネットワークにSIP信号を送信することを可能又は不可とするSIPレイヤと、前記ユーザインタフェースに対する前記ユーザ、または在圏網によるIMS機能のオン又はオフ設定に対応して、前記IMS機能に関連する当該ユーザ装置のIMS関連Capabilityを変更し、前記変更されたCapabilityに基づき前記在圏ネットワークと通信するモデムレイヤとを有するユーザ装置に関する。【選択図】図３
2015082733.tif 000002
【特許請求の範囲】
【請求項１】
IMS機能をサポートするユーザ装置であって、
ユーザが前記IMS機能をオン又はオフに設定するためのユーザインタフェースを提供するアプリケーションレイヤと、
前記ユーザインタフェースに対する前記ユーザによるIMS機能のオン又はオフ設定に対応して、在圏ネットワークにSIP信号を送信することを可能又は不可とするSIPレイヤと、
前記ユーザインタフェースに対する前記ユーザによるIMS機能のオン又はオフ設定に対応して、前記IMS機能に関連する当該ユーザ装置のIMS関連Capabilityを変更し、前記変更されたCapabilityに基づき前記在圏ネットワークと通信するモデムレイヤと、
を有するユーザ装置。
【請求項２】
前記ユーザインタフェースに対するユーザによるIMS機能のオフ設定に応答して、前記SIPレイヤは、前記在圏ネットワークにSIP信号を送信することを不可とし、前記モデムレイヤは、前記IMS機能をサポートしないユーザ装置に設定されている前記IMS関連Capabilityに一致するよう当該ユーザ装置のIMS関連Capabilityを変更する、請求項１記載のユーザ装置。
【請求項３】
前記ユーザインタフェースに対するユーザによるIMS機能のオン設定に応答して、前記SIPレイヤは、前記在圏ネットワークにSIP信号を送信することを可能とし、前記モデムレイヤは、前記IMS機能のオフ設定に応答して変更した当該ユーザ装置のIMS関連Capabilityを変更前のIMS関連Capabilityに戻す、請求項２記載のユーザ装置。
【請求項４】
前記アプリケーションレイヤは、当該ユーザ装置の過去のIMS利用履歴に関する履歴情報を利用して前記ユーザインタフェースを提供するタイミングを決定する、請求項１乃至３何れか一項記載のユーザ装置。
【請求項５】
IMS機能をサポートするユーザ装置であって、
当該ユーザ装置の在圏ネットワークが前記IMS機能をサポートするIMS対応ネットワークであるか、又は前記IMS機能をサポートしないIMS非対応ネットワークであるか判定するアプリケーションレイヤと、
前記在圏ネットワークが前記IMS対応ネットワーク又は前記IMS非対応ネットワークであるかの判定に対応して、前記在圏ネットワークにSIP信号を送信することを可能又は不可とするSIPレイヤと、
前記在圏ネットワークが前記IMS対応ネットワーク又は前記IMS非対応ネットワークであるかの判定に対応して、前記IMS機能に関連する当該ユーザ装置のIMS関連Capabilityを変更し、前記変更されたCapabilityに基づき前記在圏ネットワークと通信するモデムレイヤと、
を有するユーザ装置。
【請求項６】
前記在圏ネットワークが前記IMS非対応ネットワークであるという判定に応答して、前記SIPレイヤは、前記在圏ネットワークにSIP信号を送信することを不可とし、前記モデムレイヤは、前記IMS機能をサポートしないユーザ装置に設定されている前記IMS関連Capabilityに一致するよう当該ユーザ装置のIMS関連Capabilityを変更する、請求項５記載のユーザ装置。
【請求項７】
前記在圏ネットワークが前記IMS対応ネットワークであるという判定に応答して、前記SIPレイヤは、前記在圏ネットワークにSIP信号を送信することを可能とし、前記モデムレイヤは、前記IMS機能のオフ設定に応答して変更した当該ユーザ装置のIMS関連Capabilityを変更前のIMS関連Capabilityに戻す、請求項６記載のユーザ装置。
【請求項８】
請求項１乃至７何れか一項記載のユーザ装置と、
前記ユーザ装置と無線接続されるネットワークと、
を有する移動通信システム。
【請求項９】
ユーザ装置におけるIMS機能を設定するための方法であって、
ユーザに前記IMS機能をオン又はオフに設定するためのユーザインタフェースを提供するステップと、
前記ユーザインタフェースに対する前記ユーザによるIMS機能のオン又はオフ設定を受信するステップと、
前記受信したIMS機能のオン又はオフ設定に対応して、在圏ネットワークにSIP信号を送信することを可能又は不可とするステップと、
前記受信したIMS機能のオン又はオフ設定に対応して、前記IMS機能に関連する当該ユーザ装置のIMS関連Capabilityを変更するステップと、
前記変更されたCapabilityに基づき前記在圏ネットワークと通信するステップと、
を有する方法。
【請求項１０】
ユーザ装置におけるIMS機能を設定するための方法であって、
当該ユーザ装置の在圏ネットワークが前記IMS機能をサポートするIMS対応ネットワークであるか、又は前記IMS機能をサポートしないIMS非対応ネットワークであるか判定するステップと、
前記在圏ネットワークが前記IMS対応ネットワーク又は前記IMS非対応ネットワークであるかの判定に対応して、前記在圏ネットワークにSIP信号を送信することを可能又は不可とするステップと、
前記在圏ネットワークが前記IMS対応ネットワーク又は前記IMS非対応ネットワークであるかの判定に対応して、前記IMS機能に関連する当該ユーザ装置のIMS関連Capabilityを変更するステップと、
前記変更されたCapabilityに基づき前記在圏ネットワークと通信するステップと、
を有する方法。
【発明の詳細な説明】
【技術分野】
【０００１】
本発明は、移動通信システムにおけるユーザ装置に関する。
【背景技術】
【０００２】
3rd Generation Partnership Project(3GPP)では、TS23.228やTS24.229などにおいて、移動局又はユーザ装置(UE)がセッション開始プロトコル(Session Initiation Protocol (SIP))を利用して音声やSMS (Short Messaging Service)などのマルチメディアサービスを実現するIPマルチメディアサブシステム、具体的には、IP Multimedia core network Subsystem(IMS)が規定されている。また、Global System for Mobile Communications Association(GSMA)のIR.92 - IMS Profile for Voice and SMSでは、これらのサービスをLTE(Long Term Evolution)で実現するための要件が規定されており、LTE上で実現するIMSを利用した音声及びSMSのサービスを当該文献ではVoLTE(Voice over LTE)と定義している。
【０００３】
IMSでは、パケット交換(Packet Switching (PS)) domainを使って、従来の回線交換(Circuit Switching(CS)) domainを利用して提供していた音声やSMSなどのサービスを提供することが可能になり、PS domainの設備に統一できるので、設備投資の削減が期待できる。また、IMSでは、QoS(Quality of Service)制御を用いた広帯域な通信を利用して、より高品質な音声やビデオのサービスを提供したり、プレゼンスなどの今までCS domainでは実現できなかった新たなサービスを提供するなどユーザに対するメリットもあると考えられる。
【先行技術文献】
【特許文献】
【０００４】
【特許文献１】特開２０１３−１３５４５５
【特許文献２】特開２０１０−２５１８６４
【特許文献３】特開２０１０−０５７１１３
【非特許文献】
【０００５】
【非特許文献１】3GPP TS23.228
【非特許文献２】3GPP TS24.229
【非特許文献３】GSM Association Official Document IR.92 - IMS Profile for Voice and SMS
【発明の概要】
【発明が解決しようとする課題】
【０００６】
しかしながら、移動通信システムにおいてIMSが提供されているエリアが十分でない場合やユーザ装置がローミング協定がないネットワークに在圏したときなどでは、IMSを利用しない方がメリットがある場合がある。
【０００７】
例えば、同じオペレータでRAT(Radio Access Technology)によって、IMSの対応状況が異なるケースを考える。図１のように、LTEではIMSを提供し、UMTS(Universal Mobile Telecommunications System)ではIMSを提供しておらず、LTEのエリア提供がまだ十分でないネットワークに端末が在圏しているものとする。その場合、LTE在圏時に端末がIMSの音声通話を開始しても、UMTSに遷移すると、IMSをサポートしていないので、IMSの音声通話は切断されてしまう可能性がある。このような問題に対して、3GPP TS24.237, TS23.216などでは、Single Radio Voice Call Continuity(SRVCC)という方式について規定している。この方式を用いることでIMSで音声通話中の端末がIMSを提供しないエリアに遷移したとしてもPS domainからCS domainへ音声サービスを切り替えて、継続して音声サービスを利用することが可能となる。
【０００８】
しかしながら、3GPPにおいてSRVCCはMandatoryとして要求されていないため、当該オペレータがSRVCCをサポートしていなければ、RATが変わった瞬間に呼切断となってしまう。また、SRVCCはLTEからUMTSなどのRAT間のハンドオーバーを伴う方式で、かつ、PS domainの状態をCS domainに引き継ぐという複雑な処理を実行するため、SRVCCを実施するだけで、少なからず切断されるリスクは上がると考えられる。このような場合、ユーザが音声サービスをより安定して享受したいのであれば、はじめからIMSではなくCS domainで音声サービスを受けていた方が望ましいということになる。
【０００９】
また、図２のように、IMSをサポートしていないネットワーク(VPLMN (Visited Public Land Mobile Network))にIMS対応端末がローミングした場合、ネットワークはそもそもIMSのサポートを前提として設計されていないため、IMSの利用を要求した端末に対して、どのような応答を行うのかが明確でない。このケースにおいては、IMSのサービスが利用できないことは明らかなので、例えば、端末からIMSのパケットのコンテキスト(LTEであればPacket Data Network(PDN)、UMTSであればPDP(Packet Date Protocol))を確立するための要求(LTEであればPDN Connectivity Request(3GPP TS24.301), UMTSであればActivate PDP Context Request(3GPP TS24.008))に対して、確立できないように拒否応答(LTEであればPDN Connectivity Reject(3GPP TS24.301), UMTSであればActivate PDP Context Reject(3GPP TS24.008))を返したり、PDN/PDPは確立するが、SIPレイヤのRegistrationは許容しないようにしたり、といった動作が考えられる。
【００１０】
しかしながら、このようにPDN/PDPの確立要求に対してRejectが返される場合、GSMA IR.92 section2.4.2.1の端末規定より、IMSのPDNが切断されると、端末はIMSのPDNを再確立しようする。このとき、IMSをサポートしていないので、再確立を行っても再度Rejectが返され、それが何回も続く可能性があり、不要にNW負荷がかかることになると考えられる。また、PDN/PDPの再確立要求を何度も送信するため、不要に端末の電池を消耗することになる。NWが上述以外の動作を行うことも考えられるが、そもそもIMSを前提として設計されていないため、想定外の問題が起こる可能性が高く、CS domainのサービスやIMS以外のPS domainのサービスにも影響を及ぼしてしまう可能性もある。このため、ローミング先のネットワークのIMSの対応状況によって、端末がIMSを利用しようとする動作を可能な限り抑止できることが望ましいと考えられる。
【００１１】
上記問題点を鑑み、本発明の１つの課題は、ネットワークにおけるIMSの可用性を考慮して安定的な音声サービスを提供するための技術を提供することである。
【課題を解決するための手段】
【００１２】
本発明の１つの態様は、IMS機能をサポートするユーザ装置であって、ユーザが前記IMS機能をオン又はオフに設定するためのユーザインタフェースを提供するアプリケーションレイヤと、前記ユーザインタフェースに対する前記ユーザによるIMS機能のオン又はオフ設定に対応して、在圏ネットワークにSIP信号を送信することを可能又は不可とするSIPレイヤと、前記ユーザインタフェースに対する前記ユーザによるIMS機能のオン又はオフ設定に対応して、前記IMS機能に関連する当該ユーザ装置のIMS関連Capabilityを変更し、前記変更されたCapabilityに基づき前記在圏ネットワークと通信するモデムレイヤとを有するユーザ装置に関する。
【００１３】
本発明の他の態様は、IMS機能をサポートするユーザ装置であって、当該ユーザ装置の在圏ネットワークが前記IMS機能をサポートするIMS対応ネットワークであるか、又は前記IMS機能をサポートしないIMS非対応ネットワークであるか判定するアプリケーションレイヤと、前記在圏ネットワークが前記IMS対応ネットワーク又は前記IMS非対応ネットワークであるかの判定に対応して、前記在圏ネットワークにSIP信号を送信することを可能又は不可とするSIPレイヤと、前記在圏ネットワークが前記IMS対応ネットワーク又は前記IMS非対応ネットワークであるかの判定に対応して、前記IMS機能に関連する当該ユーザ装置のIMS関連Capabilityを変更し、前記変更されたCapabilityに基づき前記在圏ネットワークと通信するモデムレイヤとを有するユーザ装置に関する。
【発明の効果】
【００１４】
本発明によると、ネットワークにおけるIMSの可用性を考慮して安定的な音声サービスを提供するユーザ装置を提供することができる。
【図面の簡単な説明】
【００１５】
【図１】図１は、IMSの利用に関する従来技術による一例を示す図である。
【図２】図２は、IMSの利用に関する従来技術による他の例を示す図である。
【図３】図３は、本発明の一実施例によるユーザ装置の構成を示すブロック図である。
【図４】図４は、本発明の一実施例によるIMSオフ設定処理を示すシーケンス図である。
【図５】図５は、本発明の一実施例によるユーザ装置上に表示される一例となる画面表示を示す図である。
【図６】図６は、本発明の一実施例によるIMSオン設定処理を示すシーケンス図である。
【図７】図７は、本発明の他の実施例によるIMSオフ設定処理を示すシーケンス図である。
【図８】図８は、本発明の他の実施例によるIMSオン設定処理を示すシーケンス図である。
【発明を実施するための形態】
【００１６】
以下、図面に基づいて本発明の実施の形態を説明する。
【００１７】
後述される本発明の実施例を概略すると、通信ネットワークにおいてユーザ装置主導によるIMS ON/OFF設定を実現するユーザ装置が提供される。
【００１８】
一実施例では、ユーザによる音声サービスの利用開始など所定のイベントに応答して、ユーザ装置は、ユーザにIMS機能をオン又はオフに設定するためのユーザインタフェースを提供する。提供されたユーザインタフェースに対するユーザ操作に応答して、ユーザ装置は、IMSオン操作又はIMSオフ操作に対応してIMS機能に関連するユーザ装置のIMS関連Capabilityを変更し、IMS対応端末又はIMS非対応端末としてネットワークと通信する。
【００１９】
例えば、ユーザがIMSオフ操作を実行すると、ユーザ装置は、IMS登録解放処理を実行し、在圏ネットワークにSIP信号を送信することを不可に設定する。また、ユーザ装置は、IMS機能をサポートしないIMS非対応端末と同様の動作となるように、IMS非対応端末に設定されているIMS関連Capabilityと同様の設定値に自らのIMS関連Capabilityの設定値を変更する。IMS関連Capabilityとして、例えば、Voice Domain PreferenceやSRVCC (Single Radio Voice Call Continuity)のCapabilityなどがあげられる。これにより、ネットワークは、ユーザ装置をIMS非対応端末と全く同じに扱うことになり、IMS対応端末に対して行うべき手順を実行するといったような想定外の動作を防ぐことができる。他方、ユーザがIMSオン操作を実行すると、ユーザ装置は、在圏ネットワークへのSIP信号の送信不可設定を送信可能に変更し、IMS登録処理を実行する。また、ユーザ装置は、自らのIMS関連Capabilityの設定値をIMSオフ設定による変更前のIMS関連Capabilityの設定値に戻す。これにより、ユーザ装置は、以前のIMSオン設定時と同様に動作することが可能になる。
【００２０】
また、他の実施例では、ユーザ装置がIMS機能をサポートするIMS対応ネットワーク又はIMS機能をサポートしないIMS非対応ネットワークに在圏しているか判定し、当該判定に対応して、ユーザ装置は、IMS機能に関連するユーザ装置のIMS関連Capabilityを変更し、IMS対応端末又はIMS非対応端末としてネットワークと通信する。
【００２１】
例えば、ユーザ装置がIMS非対応ネットワークに在圏すると、ユーザ装置は、在圏ネットワークにSIP信号を送信することを不可に設定する。また、ユーザ装置は、IMS非対応端末と同様の動作となるように、IMS非対応端末に設定されているIMS関連Capabilityと同様の設定値に自らのIMS関連Capabilityの設定値を変更する。これにより、ネットワークは、ユーザ装置をIMS非対応端末と全く同じに扱うことになり、IMS対応端末に対して行うべき手順を実行するといったような想定外の動作を防ぐことができる。他方、ユーザ装置がIMS非対応ネットワークに在圏すると、ユーザ装置は、在圏ネットワークへのSIP信号の送信不可設定を送信可能に変更し、IMS登録処理を実行する。また、ユーザ装置は、自らのIMS関連Capabilityの設定値をIMSオフ設定による変更前のIMS関連Capabilityの設定値に戻す。これにより、ユーザ装置は、以前のIMSオン設定時と同様に動作することが可能になる。
【００２２】
このようにして、通信ネットワークにおけるIMSの可用性を考慮してユーザ装置主導によるIMS ON/OFF設定を実行することによって、ユーザ装置は、安定的な音声サービスをユーザに提供することが可能になる。
【００２３】
図３を参照して、本発明の一実施例によるユーザ装置の構成を説明する。ユーザ装置は、例えば、携帯電話、スマートフォン、タブレット、モバイルルータなどの無線通信機能を備えた何れかの情報処理装置として実現される。ユーザ装置は、基地局や無線ネットワーク制御装置(RNC)などとの無線通信を介しネットワークに接続し、音声サービスやデータサービスなどの各種通信サービスを利用する。以下の実施例では、ユーザ装置は、IMS機能をサポートするIMS対応端末であり、LTEネットワークなどIMSサービス(VoLTE)をサポートしたネットワークと通信可能であると共に、IMSサービスをサポートしないUMTSやGlobal System for Mobile Communications (GSM)などのRATのネットワークとも通信可能である。
【００２４】
図３は、本発明の一実施例によるユーザ装置の構成を示すブロック図である。図３に示されるように、ユーザ装置(UE)１００は、アプリケーション(APL)レイヤ１1０、SIPレイヤ１２０、モデム(Modem)レイヤ１３０及びハードウェア１４０を有する。
【００２５】
APLレイヤ１１０は、ユーザ装置１００上で実行される各種アプリケーションを制御する。一実施例では、APLレイヤ１１０は、ユーザがIMS機能をオン又はオフに設定するためのユーザインタフェースを提供し、ユーザによるIMS ON/OFF設定に関するユーザ操作をSIPレイヤ１２０及びModemレイヤ１３０に通知する。また、他の実施例では、ユーザ装置１００の在圏ネットワークがIMS対応ネットワークであるか、又はIMS非対応ネットワークであるか判定し、判定結果をSIPレイヤ１２０及びModemレイヤ１３０に通知する。
【００２６】
図３に示されるように、APLレイヤ１１０は、ユーザインタフェース(UI)制御部１１１、在圏ネットワーク(NW)管理部１１２及びIMS ON/OFFフラグ管理部１１３を有する。
【００２７】
UI制御部１１１は、ユーザがIMS ON/OFF設定を操作するためのユーザインタフェースを提供し、ユーザによるIMS ON/OFF設定操作をIMS ON/OFFフラグ管理部１１３、SIPレイヤ１２０及びModemレイヤ１３０に通知する。UI制御部１１１は、典型的には、ユーザ装置１００のディスプレイ上に操作用のGUI (Graphical User Interface)を表示し、表示されたGUIの所定の箇所をユーザにタッチさせることによって、又は所定の箇所においてユーザ装置１００に付属するボタンをユーザに押下させるなどによって、IMS ON/OFF設定用のユーザインタフェースを実現してもよい。
【００２８】
NW管理部１１２は、ユーザ装置１００の在圏ネットワークがIMS対応ネットワークであるか、又はIMS非対応ネットワークであるか判定する。例えば、NW管理部１１２は、Modemレイヤ１３０から受信した在圏ネットワークのPLMN (Public Land Mobile Network)識別子に基づき、在圏ネットワークがIMS対応ネットワーク又はIMS非対応ネットワークであるか判定することができる。NW管理部１１２は、判定結果をIMS ON/OFFフラグ管理部１１３、SIPレイヤ１２０及びModemレイヤ１３０に通知する。
【００２９】
IMS ON/OFFフラグ管理部１１３は、IMS機能がオン又はオフに設定されているか管理するためのIMS ON/OFFフラグを保持する。IMS ON/OFFフラグ管理部１１３は、UI制御部１１１から受信したユーザによるIMS ON/OFF設定操作に応じて、IMS ON/OFFフラグを更新する。また、IMS ON/OFF    フラグ管理部１１３は、NW管理部１１２から受信した在圏ネットワークがIMS対応ネットワーク又はIMS非対応ネットワークであるという判定結果に応じて、IMS ON/OFFフラグを更新する。具体的には、在圏ネットワークがIMS対応ネットワークであるという判定結果を受信すると、IMS ON/OFFフラグ管理部１１３は、IMS ON/OFFフラグをIMS ONに設定する。他方、在圏ネットワークがIMS非対応ネットワークであるという判定結果を受信すると、IMS ON/OFFフラグ管理部１１３は、IMS ON/OFFフラグをIMS OFFに設定する。
【００３０】
SIPレイヤ１２０は、通信処理におけるSIP処理を制御する。一実施例では、SIPレイヤ１２０は、APLレイヤ１１０からIMS ON/OFF設定のユーザ操作を受信すると、在圏ネットワークにSIP信号を送信すること可能(enable)又は不可(disable)とする。具体的には、SIPレイヤ１２０は、IMS OFF設定操作に応答して在圏ネットワークにSIP信号を送信することを不可に設定し、IMS ON設定操作に応答して在圏ネットワークにSIP信号を送信することを可能に設定する。また、SIPレイヤ１２０は、APLレイヤ１１０から在圏ネットワークがIMS非対応ネットワークであるという判定結果を受信すると、在圏ネットワークにSIP信号を送信することを不可に設定し、APLレイヤ１１０から在圏ネットワークがIMS対応ネットワークであるという判定結果を受信すると、在圏ネットワークにSIP信号を送信することを可能に設定する。
【００３１】
より詳細には、SIPレイヤ１２０はRegistration制御部１２１を有し、Registration制御部１２１が上述した処理を実行する。APLレイヤ１１０からIMS OFF設定操作があったこと又は在圏ネットワークがIMS非対応ネットワークであるという判定結果が通知されると、Registration制御部１２１は、SIPのRegistration状態を解除するため、SIP_Deregistration手順を開始する。当該手順の完了後、Registration制御部１２１は、SIPレイヤ全体がSIP_RegistrationをはじめとしたSIP信号を対向するIMS NWに送出することを禁止する。他方、APLレイヤ１１０からIMS ON設定操作があったこと又は在圏ネットワークがIMS対応ネットワークであるという判定結果が通知されると、Registration制御部１２１は、SIP信号の送出禁止設定を送出可能設定に変更し、在圏ネットワークIMS NWとの間でIMS Registration手順を開始する。
【００３２】
Modemレイヤ１３０は、ユーザ装置１００とネットワークとの間の通信処理を制御する。一実施例では、Modemレイヤ１３０は、ユーザによるIMS機能のオン又はオフ設定に応答して、IMS機能に関連するユーザ装置１００のIMS関連Capabilityを変更し、変更されたCapabilityに基づき在圏ネットワークと通信する。より詳細には、ユーザによるIMS機能のオフ設定に応答して、Modemレイヤ１３０は、IMS非対応端末に設定されているIMS関連Capabilityに一致するようユーザ装置１００のIMS関連Capabilityを変更する。また、ユーザによるIMS機能のオン設定に応答して、Modemレイヤ１３０は、オフ設定に応答して変更したユーザ装置１００のIMS関連Capabilityを変更前のIMS関連Capabilityに戻す。
【００３３】
他の実施例では、Modemレイヤ１３０は、在圏ネットワークがIMS対応ネットワーク又はIMS非対応ネットワークであるかの判定に応答して、ユーザ装置１００のIMS関連Capabilityを変更し、変更されたCapabilityに基づき在圏ネットワークと通信する。より詳細には、在圏ネットワークがIMS非対応ネットワークであるという判定に応答して、Modemレイヤ１３０は、IMS非対応端末に設定されているIMS関連Capabilityに一致するようユーザ装置１００のIMS関連Capabilityを変更する。他方、在圏ネットワークがIMS対応ネットワークであるという判定に応答して、Modemレイヤ１３０は、オフ設定に応答して変更したユーザ装置１００のIMS関連Capabilityを変更前のIMS関連Capabilityに戻す。
【００３４】
図３に示されるように、Modemレイヤ１３０は、パケットコンテキスト制御部１３１、位置登録制御部１３２及び無線信号制御部１３３を有する。
【００３５】
パケットコンテキスト制御部１３１は、APLレイヤ１１０からIMS OFFが設定された旨を通知されると、まず、IMSのパケットコンテキスト(PDN/PDP)の解放手順を実施する。次に、パケットコンテキスト制御部１３１は、IMS非対応端末と同様の動作でパケットコンテキスト(PDN/PDP)を確立する。具体的には、パケットコンテキスト制御部１３１は、パケットコンテキスト(PDN/PDP)確立の際に指定するAPN(Access Point Name)をIMS APN以外のInternet APNなどに設定するようにして、Internet APNのパケットコンテキスト(PDN/PDP)の確立要求をコアネットワーク(Core Network(CN))に送信する。Internet APNは一般的にユーザが事前にUIで設定しておくことが可能な端末が多いので、必要に応じてAPLレイヤ１１０からAPNの情報を取得する。
【００３６】
位置登録制御部１３２は、APLレイヤ１１０からIMS OFFが設定された旨を通知されると、IMSに関連する全てのIMS関連CapabilityをIMS非対応端末と同じ設定値に変更する。IMS関連Capabilityは数多く想定されるが、一例として、3GPP TS24.301、TS23.221などに規定されているVoice Domain Preferenceがあげられる。Voice Domain Preferenceには、ユーザ装置１００がIMSとCS domainの両方で音声利用可能であって、IMSでの音声利用を優先することを示す"IMS PS Voice preferred, CS Voice as secondary"と、IMSとCS domainの両方で音声利用可能であって、CS domainでの音声利用を優先することを示す"CS Voice preferred, IMS PS Voice as secondary"と、IMSでのみ音声利用可能であることを示す"IMS PS Voice only"と、CS domainでのみ音声利用可能であることを示す"CS Voice only"との4つの設定値が用意されている。IMS非対応端末には"CS Voice only"が設定されることになり、他方、IMS対応端末には、"IMS PS Voice preferred, CS Voice as secondary"、 "CS Voice preferred, IMS PS Voice as secondary"及び"IMS PS Voice only"のいずれかの設定値が設定されることになる。
【００３７】
一方、標準仕様上、CNがVoice Domain Preferenceをどのような用途で使い、変更するとどのような影響があるのか、という点は3GPPやGSMAでは明確に規定されておらず、ネットワークの運用に委ねられている。そのため、"CS Voice only"以外のVoice Domain Preferenceが設定された場合、ネットワークがユーザ装置１００をIMS対応端末と認識してしまい、IMS非対応端末と何らかの点で異なる動作をとる可能性がある。このため、ユーザがIMS OFFを設定した場合、ユーザは安定的な音声サービスを受けることを所望していると予想されるため、ユーザ装置１００をIMS非対応端末と全く同じにすることが確実であると考えられる。このような想定下では、IMS OFF設定がされたユーザ装置１００については、Voice Domain Preferenceは"CS Voice only"に設定されることが望ましい。従って、IMS OFFが設定された通知を受信すると、位置登録制御部１３２は、Voice Domain Preferenceを"CS Voice only"に変更する。同様に、Voice Domain Preference以外のIMS関連のCapabilityについて、位置登録制御部１３２は、IMS非対応端末と同じCapabilityになるように設定値を変更する。
【００３８】
無線信号制御部１３３もまた、IMS OFFが設定された旨を通知されると、全てのIMS関連CapabilityをIMS非対応端末と同じに設定する。ここでもIMS関連Capabilityは数多く想定されるが、ここでの一例としては、TS25.331に規定されているSRVCCのCapability(EUTRA RRC_CONNECTED to UTRA CELL_DCH  CS handover)がある。IMS OFFを通知された場合、無線信号制御部１３３は、SRVCCのCapabilityを非対応に設定する。理由は、上述のVoice Domain Preferenceと同じであり、IMS非対応端末と動作に相違が出ることを防ぐためである。
【００３９】
ハードウェア１４０は、典型的には、プロセッサなどのCPU (Central Processing Unit)、RAM (Random Access Memory)などのメモリ装置、無線信号を通信するための通信装置、ユーザと各種データ及び／又は指示をやりとりするためのインタフェース装置などから構成される。例えば、後述されるユーザ装置１００の各機能及び処理並びに上述した各種レイヤは、メモリ装置に格納されているデータやプログラムに従ってCPUがデータを処理することによって実現される。
【００４０】
次に、図４〜６を参照して、本発明の一実施例によるユーザ装置におけるIMS設定処理を説明する。本実施例では、ユーザからのIMS ON/OFF設定操作に応答して、ユーザ装置１００がIMS設定処理を実行する。
【００４１】
図４は、本発明の一実施例によるIMSオフ設定処理を示すシーケンス図である。図４に示されるように、ステップＳ１０１において、ユーザは、ユーザ装置１００のIMS機能をオフに設定する。すなわち、ユーザは、音声サービスをCS domainで利用することを選択する。当該設定操作は、例えば、APLレイヤ１１０により提供されたユーザインタフェースを介し行われてもよい。一例として、ユーザ装置１００のディスプレイ上に図５に示されるようなUIイメージが表示され、ユーザがUIイメージ上の所望のボタンをオンすることによって、IMS ON/OFFを設定してもよい。当該IMS設定画面は、例えば、ユーザが音声サービスの利用を開始するタイミングや音声サービスの利用中の何れかのタイミングなど、何れか適当なタイミングで自動的に表示されてもよいし、あるいは、ユーザが手動により当該IMS設定画面を表示させてもよい。
【００４２】
また、過去のIMS利用履歴に関する情報がユーザ装置１００に格納されている場合、APLレイヤ１１０は、当該履歴情報を利用してIMS設定画面を表示してもよい。例えば、履歴情報に記憶されている在圏ネットワークにおいて以前に利用されたIMS ON/OFF設定が、現在のIMS ON/OFF設定と一致しない場合、APLレイヤ１１０は、在圏ネットワークで以前に利用されたIMS ON/OFF設定と現在のIMS ON/OFF設定とが異なっている旨のメッセージと共に、IMS設定画面をディスプレイ上に表示してもよい。他の例では、ユーザ装置１００がGPS (Global Positioning System)などの測位手段を有している場合、APLレイヤ１１０は、検知したユーザ装置１００の現在位置がユーザにより以前にIMS設定変更が行われた位置又はその近傍にあると判断すると、IMS設定画面を表示してもよい。また、APLレイヤ１１０は、検知したユーザ装置１００の現在位置が以前にIMSサービスが切断等により利用不可になった位置又はその近傍にあると判断すると、IMS設定画面を表示するようにしてもよい。これは、以前にIMS設定が変更された位置やIMSサービスが利用不可になった位置では、ユーザはIMS設定をオフにする可能性が高いと考えられるためである。
【００４３】
ステップＳ１０２において、APLレイヤ１１０は、IMS OFFが設定されたことをSIPレイヤ１２０及びModemレイヤ１３０に通知する。
【００４４】
ステップＳ１０３において、SIPレイヤ１２０は、SIPのRegistration状態を解除するため、SIP_Deregistration手順を開始する。具体的には、SIPレイヤ１２０は、ユーザ装置１００のIMS NW２２０への登録状態を解除するため、IMS DeregistrationをIMS NW２２０に送信する。当該IMS Deregistrationを受信すると、IMS NW２２０は、ユーザ装置１００のIMSサービスへの登録を解除する。
【００４５】
ステップＳ１０４において、当該SIP_Deregistration手順が完了すると、SIPレイヤ１２０は、SIP_RegistrationをはじめとしたSIP信号をIMS NW２２０に送出することを禁止する。
【００４６】
ステップＳ１０５において、IMS OFFが設定されたという通知を受信すると、Modemレイヤ１３０のパケットコンテキスト制御部１３１は、IMSのパケットコンテキスト(PDN/PDP)の解放手順を実行する。具体的には、Modemレイヤ１３０は、IMSをサポートしていないIMS非対応端末と同様の動作でパケットコンテキスト(PDN/PDP)を確立する。すなわち、パケットコンテキスト制御部１３１は、パケットコンテキスト(PDN/PDP)確立の際に指定するAPNをIMS APN以外のInternet APNなどに設定するようにして、Internet APNなどのパケットコンテキスト(PDN/PDP)の確立要求をCN２１０に送信する。
【００４７】
ステップＳ１０６において、Modemレイヤ１３０の位置登録制御部１３２は、Voice Domain Preferenceをはじめとする全てのIMS関連CapabilityをIMS非対応端末と同様に設定する。一般に、IMS非対応端末には"CS Voice only"が設定されており、他方、IMS対応端末には、"IMS PS Voice preferred, CS Voice as secondary"、"CS Voice preferred, IMS PS Voice as secondary"及び"IMS PS Voice only"のいずれかの設定値が設定されている。従って、IMS OFFが設定された通知を受信すると、位置登録制御部１３２は、Voice Domain Preferenceを"CS Voice only"に変更する。このように、Voice Domain Preference以外のIMS関連Capabilityについても、位置登録制御部１３２は、IMS非対応端末と同じCapabilityになるように設定値を変更する。
【００４８】
ステップＳ１０７において、Modemレイヤ１３０の無線信号制御部１３３は、RAN２００との無線通信を確立すると共に、SRVCCのCapability(EUTRA RRC_CONNECTED to UTRA CELL_DCH  CS handover)をはじめとする全てのIMS関連CapabilityをIMS非対応端末と同じに設定する。すなわち、IMS OFFが通知された場合、無線信号制御部１３３は、SRVCCのCapabilityなどを非対応に設定する。これは、上述のVoice Domain Preferenceと同じであり、IMS非対応端末と動作に相違が生じることを防ぐためである。
【００４９】
ステップＳ１０８において、上述のように設定されたCapabilityなどに基づき、位置登録制御部１３２は、Attach又は位置登録を開始する。位置登録制御部１３２により設定されたCapabilityやパケットコンテキスト制御部１３１によるパケットコンテキストの確立要求はRAN２００を介しCN２１０に通知される。
【００５０】
ステップＳ１０９において、当該通知を受信したRAN２００及びCN２１０は、ユーザ装置１００をIMS非対応端末と全く同じに扱うことになる。これにより、IMS対応端末に対して行うべき手順が実行されるといったような想定外の動作を防ぐことができる。一方、SIPレイヤ１２０は、IMSのパケットコンテキスト(PDN/PDP)が払い出されたとしてもSIP信号の送出を禁止しているので、IMS NW２２０はユーザ装置１００自体を認識できなくなる。
【００５１】
図６は、本発明の一実施例によるIMSオン設定処理を示すシーケンス図である。図６に示されるように、ステップＳ２０１において、ユーザは、ユーザ装置１００のIMS機能をオンに設定する。すなわち、ユーザは、音声サービスをPS domainで利用することを選択する。当該設定操作は、図５に関して上述したように、APLレイヤ１１０により提供されたユーザインタフェースを介し行われてもよい。当該IMS設定画面は、例えば、ユーザが音声サービスの利用を開始するタイミングや音声サービスの利用中の何れかのタイミングなど、何れか適当なタイミングで自動的に表示されてもよいし、あるいは、ユーザが手動により当該IMS設定画面を表示させてもよい。また、過去のIMS利用履歴に関する情報がユーザ装置１００に格納されている場合、APLレイヤ１１０は、当該履歴情報を利用してIMS設定画面を表示してもよい。
【００５２】
ステップＳ２０２において、APLレイヤ１１０は、IMS ONが設定されたことをSIPレイヤ１２０及びModemレイヤ１３０に通知する。
【００５３】
ステップＳ２０３において、SIPレイヤ１２０は、IMS NW２２０へのSIP信号の送出禁止を解除する。
【００５４】
ステップＳ２０４において、位置登録制御部１３２は、Voice Domain Preference をはじめとするIMS関連CapabilityをIMS OFF設定処理前の設定値に戻す。例えば、Voice Domain Preferenceについては、"IMS PS Voice preferred, CS Voice as secondary"、"CS Voice preferred, IMS PS Voice as secondary"及び"IMS PS Voice only"のいずれかの設定値に戻されることになる。このため、IMS OFF設定処理でCapabilityを変更する際、変更前のCapabilityはメモリ装置などに保持される。
【００５５】
ステップＳ２０５において、無線信号制御部１３３は、RAN２００との無線通信を確立すると共に、SRVCCのCapabilityをはじめとするIMS関連CapabilityをIMS OFF設定処理前の設定値に戻す。
【００５６】
ステップＳ２０６において、上述のように設定されたCapabilityなどに基づき、位置登録制御部１３２は、Attach又は位置登録を開始する。位置登録制御部１３２により設定されたCapabilityやパケットコンテキスト制御部１３１によるパケットコンテキストの確立要求はRAN２００を介しCN２１０に通知される。
【００５７】
ステップＳ２０７において、Modemレイヤ１３０は、IMS PDN確立通知をSIPレイヤ１２０に通知する。
【００５８】
ステップＳ２０８において、SIPレイヤ１２０は、SIPのRegistrationを要求するため、SIP_Registration手順を開始する。具体的には、SIPレイヤ１２０は、IMS RegistrationをIMS NW２２０に送信する。当該IMS Registrationを受信すると、IMS NW２２０は、ユーザ装置１００のIMSサービスへの登録を有効にする。
【００５９】
ステップＳ２０９において、RAN２００及びCN２１０は、ユーザ装置１００をIMS OFF設定前のようにIMS対応端末として扱うことになる。
【００６０】
次に、図７〜８を参照して、本発明の他の実施例によるユーザ装置におけるIMS設定処理を説明する。本実施例では、在圏ネットワークに応じて、ユーザ装置が自動的にIMS設定処理を実行する。具体的には、図２のようにHPLMNとVPLMNとが存在し、VPLMNはIMSをサポートしておらず、つまり、HPLMNとVPLMNのローミング協定が締結されていない状況を考える。この場合、VPLMNはIMSをサポートしていないため、IMS対応端末がVPLMNに在圏した場合にどのような動作を行うのかの保障がとれず、安定した動作にならない可能性がある。より安定した動作となるように、VPLMN在圏時はIMS非対応端末と同じ動作にさせるため、ユーザ装置のIMSをOFFに設定する。
【００６１】
図７は、本発明の他の実施例によるIMSオフ設定処理を示すシーケンス図である。図７に示されるように、ステップＳ３０１において、ユーザ装置１００がVPLMNに在圏する。
【００６２】
ステップＳ３０２において、Modemレイヤ１３０は、APLレイヤ１１０にユーザ装置１００がVPLMNに在圏したことを通知する。当該通知はVPLMNのPLMN識別子を含むため、APLレイヤ１１０は、当該PLMN識別子に基づきVPLMNへの在圏を認識することができる。
【００６３】
ステップＳ３０３において、APLレイヤ１１０は、VPLMN在圏時はIMS OFFとするよう予め設定されたConfigurationに基づきIMS 設定をOFFに設定し、SIPレイヤ１２０及びModemレイヤ１３０にIMS OFFを設定したことを通知する。
【００６４】
ステップＳ３０４において、Modemレイヤ１３０のパケットコンテキスト制御部１３１は、IMSのパケットコンテキスト(PDN/PDP)の解放手順を実行する。なお、図４に示されたIMS OFF設定処理と異なり、VPLMNではIMSパケットコンテキスト(PDN/PDP)の確立はできていないので、IMSパケットコンテキスト(PDN/PDP)の解放処理は、ユーザ装置１００が必要と判断した場合にユーザ装置１００の内部でローカルに実行されるようにしてもよい。
【００６５】
ステップＳ３０５において、SIPレイヤ１２０は、SIP_RegistrationをはじめとしたSIP信号をIMS NW２２０に送出することを禁止する。なお、VPLMNはIMSをサポートしていないため、図４に示されたIMS OFF設定処理と異なり、IMS Deregistrationは実行されない。
【００６６】
ステップＳ３０６において、Modemレイヤ１３０は、Voice Domain Preference及びSRVCC Capabilityを含む全てのIMS関連CapabilityをIMS非対応端末と同様に設定する。すなわち、Voice Domain Preferenceは"CS Voice only"に設定され、SRVCC CapabilityはOFFに設定される。
【００６７】
ステップＳ３０７において、無線信号制御部１３３は、更新されたSRVCC CapabilityなどのCapabilityに基づきVPLMNのRAN２００との無線通信を確立する。
【００６８】
ステップＳ３０８において、位置登録制御部１３２は、更新されたVoice Domain PreferenceなどのCapabilityに基づきVPLMNのCN２００に対してAttach又は位置登録を開始し、Internet APNなどのIMS以外のAPNに接続する。
【００６９】
ステップＳ３０９において、当該通知を受信したVPLMNのRAN２００及びCN２１０は、ユーザ装置１００をIMS非対応端末と全く同じに扱うことになる。これにより、IMS対応端末に対して行うべき手順が実行されるといったような想定外の動作を防ぐことができる。
【００７０】
図８は、本発明の他の実施例によるIMSオン設定処理を示すシーケンス図である。本実施例では、IMSをサポートしないVPLMNに在圏していたIMS OFF設定されたユーザ装置が、IMSをサポートするHPLMNに在圏し、IMSをONに設定する。図８に示されるように、ステップＳ４０１において、ユーザ装置１００がHPLMNに在圏する。
【００７１】
ステップＳ４０２において、Modemレイヤ１３０は、APLレイヤ１１０にユーザ装置１００がHPLMNに在圏したことを通知する。当該通知は、HPLMNのPLMN識別子を含むため、APLレイヤ１１０は、当該PLMN識別子に基づきVPLMNへの在圏を認識することができる。
【００７２】
ステップＳ４０３において、APLレイヤ１１０は、HPLMN在圏時はIMS ONとするよう予め設定されたConfigurationに基づきIMS 設定をONに設定し、SIPレイヤ１２０及びModemレイヤ１３０にIMS ONを設定したことを通知する。
【００７３】
ステップＳ４０４において、SIPレイヤ１２０は、IMS NW２２０へのSIP信号の送出禁止を解除する。
【００７４】
ステップＳ４０５において、Modemレイヤ１３０は、Voice Domain Preference及びSRVCC Capability を含むIMS関連CapabilityをIMS OFF設定処理前の設定値に戻す。例えば、Voice Domain Preferenceは"IMS PS Voice preferred, CS Voice as secondary"、"CS Voice preferred, IMS PS Voice as secondary"及び"IMS PS Voice only"のいずれかの設定値に戻され、SRVCC CapabilityはONに設定される。このため、IMS OFF設定処理でCapabilityを変更する際、変更前のCapabilityはメモリ装置などに保持される。
【００７５】
ステップＳ４０６において、無線信号制御部１３３は、更新されたSRVCC CapabilityなどのCapabilityに基づきHPLMNのRAN２００との無線通信を確立する。
【００７６】
ステップＳ４０７において、位置登録制御部１３２は、更新されたVoice Domain PreferenceなどのCapabilityに基づきHPLMNのCN２００に対してAttach又は位置登録を開始し、インターネットAPNに接続する。
【００７７】
ステップＳ４０８において、Modemレイヤ１３０は、IMS PDN確立通知をSIPレイヤ１２０に通知する。
【００７８】
ステップＳ４０９において、SIPレイヤ１２０は、SIPのRegistrationを要求するため、SIP_Registration手順を開始する。具体的には、SIPレイヤ１２０は、IMS RegistrationをHPLMNのIMS NW２２０に送信する。当該IMS Registrationを受信すると、IMS NW２２０は、ユーザ装置１００のIMSサービスへの登録を有効にする。
【００７９】
ステップＳ４１０において、当該通知を受信したHPLMNのRAN２００及びCN２１０は、ユーザ装置１００をIMS OFF設定前のようにIMS対応端末として扱うことになる。
【００８０】
なお、上述した図４〜図８を参照して説明したIMS設定処理の各実施例は組み合わせて利用されてもよい。例えば、図４及び図７に示されるIMS OFF設定処理を組み合わせた実施例も可能であり、図４に示されるようにユーザによるIMS OFF設定操作と共に、ユーザ装置１００によるIMS非対応ネットワークへの在圏との何れのイベントの発生にも応答して、上述したSIPレイヤ１２０及びModemレイヤ１３０による処理を実行して、ユーザ装置１００をIMS非対応端末として動作させるようにしてもよい。同様に、図６及び図８に示されるIMS ON設定処理を組み合わせた実施例も可能であり、図６に示されるようにユーザによるIMS ON設定操作と共に、ユーザ装置１００によるIMS対応ネットワークへの在圏との何れのイベントの発生にも応答して、上述したSIPレイヤ１２０及びModemレイヤ１３０による処理を実行して、ユーザ装置１００をIMS対応端末として動作させるようにしてもよい。
【００８１】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００８２】
１００  ユーザ装置(UE)
１１０  アプリケーション（APL）レイヤ
１２０  SIPレイヤ
１３０  モデム（Modem）レイヤ
１４０  ハードウェア
【図１】
2015082733.tif 000003
【図２】
2015082733.tif 000004
【図３】
2015082733.tif 000005
【図４】
2015082733.tif 000006
【図５】
2015082733.tif 000007
【図６】
2015082733.tif 000008
【図７】
2015082733.tif 000009
【図８】
2015082733.tif 000010
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
IMS機能をサポートするユーザ装置であって、
ユーザが前記IMS機能をオン又はオフに設定するためのユーザインタフェースを提供するアプリケーションレイヤと、
前記ユーザインタフェースに対する前記ユーザによるIMS機能のオン又はオフ設定に対応して、在圏ネットワークにSIP信号を送信することを可能又は不可とするSIPレイヤと、
前記ユーザインタフェースに対する前記ユーザによるIMS機能のオン又はオフ設定に対応して、前記IMS機能に関連する当該ユーザ装置のIMS関連Capabilityを変更し、前記変更されたCapabilityに基づき前記在圏ネットワークと通信するモデムレイヤと、
を有し、
前記アプリケーションレイヤは、当該ユーザ装置の過去のIMS利用履歴に関する履歴情報を利用して前記ユーザインタフェースを提供するタイミングを決定するユーザ装置。
【請求項２】
前記ユーザインタフェースに対するユーザによるIMS機能のオフ設定に応答して、前記SIPレイヤは、前記在圏ネットワークにSIP信号を送信することを不可とし、前記モデムレイヤは、前記IMS機能をサポートしないユーザ装置に設定されている前記IMS関連Capabilityに一致するよう当該ユーザ装置のIMS関連Capabilityを変更する、請求項１記載のユーザ装置。
【請求項３】
前記ユーザインタフェースに対するユーザによるIMS機能のオン設定に応答して、前記SIPレイヤは、前記在圏ネットワークにSIP信号を送信することを可能とし、前記モデムレイヤは、前記IMS機能のオフ設定に応答して変更した当該ユーザ装置のIMS関連Capabilityを変更前のIMS関連Capabilityに戻す、請求項２記載のユーザ装置。
【請求項４】
請求項１乃至３何れか一項記載のユーザ装置と、
前記ユーザ装置と無線接続されるネットワークと、
を有する移動通信システム。
【請求項５】
ユーザ装置におけるIMS機能を設定するための方法であって、
ユーザに前記IMS機能をオン又はオフに設定するためのユーザインタフェースを提供するステップと、
前記ユーザインタフェースに対する前記ユーザによるIMS機能のオン又はオフ設定を受信するステップと、
前記受信したIMS機能のオン又はオフ設定に対応して、在圏ネットワークにSIP信号を送信することを可能又は不可とするステップと、
前記受信したIMS機能のオン又はオフ設定に対応して、前記IMS機能に関連する当該ユーザ装置のIMS関連Capabilityを変更するステップと、
前記変更されたCapabilityに基づき前記在圏ネットワークと通信するステップと、
を有し、
前記ユーザインタフェースを提供するステップは、当該ユーザ装置の過去のIMS利用履歴に関する履歴情報を利用して前記ユーザインタフェースを提供するタイミングを決定する方法。